(57)【要約】【課題】  従来の文献によれば、エネルギーウェーブ発生器からなる、低圧電流を具えた操作が簡単な健康美容器具とか、操作が容易な理学療法用エネルギー発生装置が知られている。しかしながら、使い勝手が良くなく、かつ多くの点において、改良の余地が挙げられる。【解決手段】    本発明は、取外し可能なモニターとなるモニター装置と１枚又は複数枚のプレート、通電マットを具えたＥＭＳ装置により発せられる微弱電流を帯びたセラピストの手で、直接クライアントに触れることにより、弱った体内電流を整え、低周波の刺激により安全に、美容、健康に対し幅広い効果が期待できるＥＭＳ装置とそのプレートと、その施術システムを提供する。【選択図】      図１
2020127604.tif 000002
【特許請求の範囲】
【請求項１】
ＥＭＳ装置(Ａ)は、
装置本体(１)と差込口(１１)で接続した、ベッド(３１)の上に設置した通電マット(５)と、前記装置本体(１)と前記差込口(１１)で接続した、前記ベッド(３１)の下の床に１枚又は複数枚設置したプレート（７ａ）及び／又は(７ｂ）及び／又は(７ｃ）とでなり、前記装置本体(１)とＵＳＢポート(１２)で接続及び充電可能で、前記装置本体(１)上部に取外し可能なモニター装置(８)でなり、
前記通電マット(５)はクライアント(３３)の肌に触れる位置で、かつこの通電マット(５)のシルバーの面を上にした状態で設置し、しかも、この通電マット(５)の上には必ず水で濡らしたタオル(４)を敷くものとし、
前記ＥＭＳ装置(Ａ)は、スマートデバイス連携システムを備えてなり、
前記モニター装置(８)は、前記ＵＳＢポート(１２)に差込んだＵＳＢケーブル(１０)により前記装置本体(１)とＵＳＢ接続し、前記モニター装置(８)を充電しながら使用でき、及び／又はモニター装置（８）を取り外して使用することも可能であることを特徴とする、ＥＭＳ装置(Ａ)。
【請求項２】
前記スマートデバイス連携システムは、充電可能なモニター装置（８）と、装置本体（１）でなり、
前記装置本体（１）は、施術動作(施術箇所・回数(１８))に応じて前記通電マット（５）及び、前記プレート（７ａ）及び／又は(７ｂ）及び／又は(７ｃ）に通電した電流量を調節し、かつ前記モニター装置（８）の充電用電気を制御する発電回路（１５）と、この発電回路（１５）からの電気を、前記モニター装置（８）に送る充電／電力供給回路（１４）を備え、
この充電／電力供給回路（１４）は、前記ＵＳＢポート（１２）を通じてスマートデバイス（１７）である前記モニター装置（８）を充電する構成とした、請求項１に記載の充電しながら使用でき、及び／又は取外して使用することも可能であることを特徴とする前記モニター装置（８）を備えた、ＥＭＳ装置(Ａ)。
【請求項３】
請求項１に記載のプレート（７ａ）及び／又は(７ｂ）及び／又は(７ｃ）の表面には、凹凸、又はスリットを形成し、通電量を調節可能としたプレート（７ａ）及び／又は(７ｂ）及び／又は(７ｃ）の構造。
【請求項４】
前記クライアント(３３)と、その施術箇所に応じて、セラピスト(３２)の立つ位置を決定する立位置システムと、
ａ）軽擦法（全体に覆うように包む手技）、ｂ）振動法（まっすぐ進む手技）、ｃ）揉撚法（クルクル回す手技）、ｄ）圧迫法（一点を集中して押さえている手技）、ｅ）引上げ法（彫刻をイメージし３Ｄボディ（メリハリがあり凹凸のある体）を創り上げる手技）、これら５つの手技でなる基本作業システムと、
この基本作業システムのうち前記ａ、ｂ、ｃ、ｄ、ｅのいずれの手技にするかを検討して選択された手技を組み合わせる、及び／又は、個々に選択するかを最終的に決定する、決定システムと、
を請求項２に記載のモニター装置（８）により操作を行い、かつ前記モニター装置（８）に各データを表示及び蓄積し、
前記各データに基づき、前記各基本作業システムを施術することを特徴とした施術システム。
【請求項５】
請求項４に記載の各システムを、前記装置本体（１）に接続した前記モニター装置（８）に記録し、
その中で、前記立位置システムにおいて、前記セラピスト（３２）の立位置に設置する請求項３に記載のプレート（７ａ）及び／又は(７ｂ）及び／又は(７ｃ）において、プレート(７ａ）及び／又は、凹凸、又はスリットを形成したプレート (７ｂ）、及び／又は出張用プレート（７ｃ）、を選択するプレート選択システムと、
このプレート(７ａ）及び／又は(７ｂ）及び／又は(７ｃ）上の前記立位置を調整することで、通電量を調節可能とし、前記クライアント(３３)の希望を達成すること、
を可能とする構成とした請求項４に記載の施術システム。
【発明の詳細な説明】
【技術分野】
【０００１】
本発明は、ＥＭＳ装置（電気信号を外部より神経組織や筋組織に与え、筋肉を収縮させることにより、運動機能を改善、又は強化する電気的筋肉刺激（Ｅｌｅｃｔｒｉｃａｌ Ｍｕｓｃｌｅ Ｓｔｉｍｕｌａｔｉｏｎ：ＥＭＳ）装置は、アスリートの筋肉トレーニングや、廃用症候群や筋萎縮性疾患患者のリハビリテーションなどで、一定の効果を上げている）により、微弱電流を帯びたセラピストの手で、直接クライアントに触れることにより、弱った体内電流を整えるものであり、低周波の刺激により美容、健康に有益であるＥＭＳ装置と、そのプレートの構造、及び施術システムに関する。
【背景技術】
【０００２】
周知の如く、ＥＭＳ装置とは、電気で筋肉を刺激することにより、機械的に筋肉を動かし運動効果を得ることを目的としたものである。
【０００３】
従来、この種の、施術者の身体を通じ被施術者に電流を与える器具等に関し、次のような文献が挙げられる。実用新案登録第３１１９７８２号公報に記載の考案（文献１）と、実用新案登録第３１８６０８４号公報に記載の考案（文献２）である。
【０００４】
文献１は主にエネルギーウェーブ発生器からなる、低圧電流を備えた操作が簡単な健康美容器具に関し、エネルギーウェーブ発生器により発生した低圧電流を電気伝導片に流し、この電気伝導片を施術者(セラピスト)が裸足で踏みながらマッサージを行うことで、細胞が刺激され、活力が増強し、健康と美容を促進するものである。しかし、この考案では、電気伝導片は一枚しかないため、施術者が施術部位により立ち位置を変えたい場合には、その都度電源を切り、電気伝導片の位置を施術者が変更しなければならず、被施術者（クライアント）にとりタイムロスが多くなるだけでなく、裸足で踏んだ電気伝導片を何度も持ち運ぶ点で不衛生になり易いという問題がある。
【０００５】
文献２は、操作が容易な理学療法用エネルギー発生装置に関し、理学療法用エネルギー発生装置は制御手段、第１導電手段、複数の第２導電手段とマッサージ握持部で構成され、理学療法士が第２導電手段を裸足で踏むことで、理学療法用エネルギーを理学療法士の身体、腕、手を通して患者（クライアント）へ与える。この考案では制御手段に備えた調整つまみとリモートコントローラーにより、理学療法用エネルギーの強度を調整できるが、この理学療法用エネルギー発生装置にはモニターがないため、目視によるエネルギー値の確認ができる構造を備えていない。これにより、患者に伝わるエネルギーが思いのほか強い値となってしまう等、安定的かつ安全に理学療法用エネルギーを伝えることが困難であるという問題がある。
【特許文献１】実用新案登録第３１１９７８２号公報
【特許文献２】実用新案登録第３１８６０８４号公報
【発明の概要】
【発明が解決しようとする課題】
【０００６】
上記を鑑み、本発明は、取外し可能なモニターとなるモニター装置と１枚又は複数枚のプレート、通電マットを具えたＥＭＳ装置により発せられる微弱電流を帯びたセラピストの手で、直接クライアントに触れることにより、弱った体内電流を整え、低周波の刺激により安全に、美容、健康に対し幅広い効果が期待できるＥＭＳ装置と、そのプレートと、その施術システムを提供する。
【０００７】
本発明を用いれば、今までの指圧・マッサージ・ツボ押し等とは異なり、微弱電流により体内深部までエネルギーが届くため、交感神経と副交感神経からなる自律神経のバランスが整い活力アップに繋がり、基礎代謝が上がることによりハリのある肌や、つやのある髪などの効果を得ることができ、素手による施術でリラックス効果を高めるだけでなく、施術者の立位置を容易に変更でき、かつ最適な立位置を確保することで、刺激の向上と効果の確保ができ、更に、集中力を高め、自己能力を最大限に発揮できるα波を発生させ、かつ優位にできる。更には、セラピストが素足で立つプレートは、例えば、平坦なもの、凹凸突起、又はスリット形状の溝を形成したプレート、出張用プレート等と、実施形態により変更可能である。特に凹凸状の溝を形成したプレートに素足で立ち、施術を行った場合には、セラピスト自身は足裏をマッサージすることと同様の効果が得られる上、クライアントに伝わる電流の量を足裏の面積で微調節することが可能となる。さらにセラピストに微弱電流が流れるため、セラピスト自身の健康と美容増進に繋がることが特徴である。また、セラピストは力を入れる必要がなく負担が減るため、従来の施術で問題となっているセラピストの腱鞘炎等の疾病の減少に繋がる効果もある。
【０００８】
更に本発明は出張用プレートを具えており、状況に応じて小型バッテリーを使用することも可能であるため、エステサロンに行くことなく、自宅等で施術を受けることが可能である。これにより、時間がなくエステサロンへ行くことができないクライアントも、自宅等で定期的に施術を受けることができることで、本発明の効果を一層効果的に、かつ持続的に得ることができる。
【発明の効果】
【０００９】
前述の特徴や効果を発揮し、クライアントに対し、効果的な体力造りや、美容効果等を達成するために、請求項１−請求項５を提案する。
【図面の簡単な説明】
【００１０】
【図１】本発明で使用する装置本体の背面図と各部接続図
【図２】本発明実施時にモニター装置を設置した場合の装置本体の正面図
【図３】本発明実施時のＥＭＳ装置設置の一例
【図４】本発明で使用するＥＭＳ装置の電気回路ブロック図
【図５】本発明で使用するスマートデバイス連携システムのブロック図
【図６】本発明実施時の電流の流れを示した図
【図７−１】本発明実施時のセラピスト立位置を示した各図
【図７−２】本発明実施時のセラピスト立位置とプレートの位置及び施術箇所と基本作業システムの一例を示した図表
【図８−１】施術する背中全体と、手法の一例を示した図
【図８−２】施術する腹部全体と、手法の一例を示した図
【図８−３】施術する腕全体と、手法の一例を示した図
【図８−４】施術する脚全体と、手法の一例を示した図
【図９】フェイシャルトリートメントの施術手法の一例を示した図
【発明を実施するための形態】
【００１１】
図１と図２では本発明で使用するＥＭＳ装置Ａを示す。図１に示されるように装置本体１、ＡＣ電源コード２、通電マット用ケーブル３、通電マット５、プレート用ケーブル６、平坦プレート７ａ、凹凸プレート７ｂ、出張用プレート７ｃ、装置本体１による充電が可能なモニター装置８、ＵＳＢケーブル１０で構成されている。クライアント３３は、装置本体１に接続され濡れタオル４で包まれた通電マット３の上に寝て、施術を受ける。尚、タオルが乾燥した場合には、湿潤し、本来の通電を担持する。また、乾燥状態を知らしめる手段を設定し、警報音で知らしめることを、システム化することも可能である。
【００１２】
図３に本発明の実施時のＥＭＳ装置Ａの設置一例を示す。モニター装置を設置せずに施術をすることも可能であるが、ここでは本発明の実施一例として、モニター装置を設置及び接続した場合についての説明を行う。装置本体１のケーブル差込口１１に通電マット用ケーブル３を用いて接続した通電マット５を、ベッド３１の上に設置し、同様に、装置本体１のケーブル差込口１１にプレート用ケーブル６を用いて接続したプレート（７ａ及び／又は７ｂ及び／又は７ｃ）を床に、少なくとも１枚又は複数枚設置し、装置本体１のＵＳＢポート１２に、ＵＳＢケーブル１０を用いて接続したモニター装置８を装置本体１の上部に置いて使用する。通電マット５はクライアント３３の肌に触れる位置で、シルバーの面を上にした状態で設置し、通電マット５の上には必ず水で濡らした濡れタオル４を敷く。濡れタオル４が乾燥した際には、霧吹き等を活用し、濡れタオル４を湿潤するか、又は濡れタオル４にセンサーを付設し、自動的に湿潤する手段を付設することも、効率的、かつ安全性に優れた装置、及び／又は、施術として有効である。
【００１３】
図４は、本発明で使用するＥＭＳ装置の電気回路ブロック図の一例であり、装置本体１の電圧調節ダイヤル２１と電気信号変更ダイヤル２２、及びモニター装置８で各設定を行うと、装置本体１に内蔵されているＣＰＵ１０１に信号が伝わり、電気信号発生器１０２、波形出力制御部１０３、出力制御回路１０５へと繋がり、装置本体から発生した微弱電流がプレート（７ａ及び／又は７ｂ及び／又は７ｃ）へ流れていく。装置本体１は電源回路１０６により電源制御されている。
【００１４】
そして、このＥＭＳ装置Ａは、スマートデバイス連携システムＢを使用する。例えば、モニター装置８はＵＳＢポート１２に差込んだＵＳＢケーブル１０によりＵＳＢ接続することで、充電しながら使用できるが、モニター装置８本体には無線設備も備えているため、無線接続することも可能である。設置後、装置本体１とモニター装置８をペアリング接続し、モニター装置８にて専用アプリを開くことで本体の操作が可能となる。専用アプリでは施術時間のタイマー設定、電圧レベルの表示、施術中の電気信号波形を表示できる他に、専用アプリでは、プレート選択システムにより、プレート（７ａ）及び／又は凹凸、又はスリットを形成したプレート（７ｂ）、出張用プレート（７ｃ）を選択することができる。さらにセラピスト３２がプレート７ａ等からずれた立位置で施術した場合や、電流の流れが悪い場合には、警報器１３(警報部)から警告音を発することもできる。正しい位置において施術することが望ましく、併せて、クライアント３３に最適な効果を付与できる。更にモニター装置８により顧客管理もできるため、セラピスト３２はクライアント３３の過去の施術データを閲覧及び参考にすることも可能である。
【００１５】
図５に示した、スマートデバイス連携システムＢにおいて、例えば、図５に示される例示的な実施形態において、装置本体１に備えた発電回路１５は、モニター装置８を充電するための回路を含むもので、図５内の破線で示されるように充電／電力供給回路１４に繋がる。充電／電力供給回路１４は、ＵＳＢポート１２を通じてスマートデバイス１７に電力を送り、このスマートデバイス１７（モニター装置８）を充電することで、安定的に電力を供給し、専用アプリでの操作を連続的に可能とする。図中１８は、施術箇所・回数(施術動作)を示しており、この施術箇所・回数１８は、スマートデバイス１７に記録・保存することも可能である。
【００１６】
図１に示したＥＭＳ装置Ａにおいて、電流の流れは図６に示されるように、本体スイッチ９をＯＮにすると、装置本体１からプレート（７ａ 及び／又は７ｂ及び／又は７ｃ）に微弱電流が流れ、プレート（７ａ及び／又は７ｂ及び／又は７ｃ）の上にセラピスト３２が素足で立ちクライアント３３の肌に素手で触れることで、セラピスト３２自身の体を通じてクライアント３３に微弱電流が流れる。セラピスト３２がプレート（７ａ及び／又は７ｂ及び／又は７ｃ）を踏む面積、及び手の平等、クライアント３３に触れる面積で電流の大きさを調節する。電圧のレベルと電気信号のパターンは、図２に示されるように本体前面に備えられている電圧調節ダイヤル２１と電気信号変更ダイヤル２２を回すことで変更可能である。以上が施術前の装置の設置準備となる。
【００１７】
ここで、本発明の施術を行う際のポイントとして、肌が乾燥していると微弱電流が流れないため、トリートメントを行う部位に必ず、クリームをしっかりと塗布することが不可欠である。この所作は、丁寧に、かつ順序良く、しかもゆっくりと行い、望ましくは、セラピスト３２は経験則よりして、雑念や邪念を捨ててゆったりとした気持ちで、かつ無心でエネルギー（施術による活力と治癒力等）を伝えるように行うことが大切である。ここでいうエネルギーとは、活力や元気のことを指し、身体の太い部分や大きい部位には大きいエネルギーを伝え、腕、指、顔のような身体の小さい部分にはエネルギーを小さくすることも大切なポイントである。また、それぞれの箇所において、セラピスト３２の立位置が重要である。このセラピスト３２が立つ位置を決定する立位置システムは、後述する施術の流れに沿って決定される。
【００１８】
本発明では、ａ）軽擦法（例えば、全体に覆うように包む手技）、ｂ）振動法（例えば、まっすぐ進む手技）、ｃ）揉撚法（例えば、クルクル回す手技）、ｄ）圧迫法（例えば、一点を集中して押さえる手技）、ｅ）引上げ法（例えば、彫刻をイメージし３Ｄボディ（メリハリがあり凹凸のある体）を創り上げる手技）、これら５つの手技でなる基本作業（手技）システムを、施術箇所・回数１８に応じて組み合わせる。基本作業システムのうち、いずれの手技にするかを検討し、ここで選択された手技を組み合わせる、及び／又は、個々に選択するかを決定する決定システムは、後述する施術の流れに沿って決定される。予め施術の流れをモニター装置８内の専用アプリにより設定及び保存しておくことで、前記立位置システム、前記決定システムにより、セラピスト３２は正確な位置、及び正確な基本作業システムで施術を行うことが可能となり、施術による効果をより効果的に発揮することが可能となる。以下、各基本作業（手技）をａ、ｂ、ｃ、ｄ、ｅで表記する。
【００１９】
図７−１は本発明実施時のセラピスト３２の立位置を示したもので、図７−２は本発明実施時のセラピスト３２の立位置とプレートの位置及び施術箇所と基本作業システムの一例を示した図表である。図８−１から図９は施術する各部位と、手法の一例を図示したものである。以下に本発明のＨＥ８（Ｈｙｐｅｒ  Ｅｎｅｒｇｙ  Ｅｉｇｈｔ）カービングエナジートリートメントの実施手順の一例を具体的に説明する。
【００２０】
セラピスト３２は施術全体を通して軽い力で施術を行う。これは、微弱電流により軽い力でも体内深部までエネルギーが届くため軽い力で良い。公知のマッサージやエステ等では、強く押す等セラピスト３２が身体全体を使っての施術が必要であったため、施術後には疲労があり、さらには腱鞘炎等の慢性的な怪我に悩まされるセラピスト３２も多いという問題があったが、本発明のＨＥ８カービングエナジートリートメントではセラピスト３２の負担を軽減できる。
【００２１】
セラピスト３２はクライアント３３の頭側に立ち（イ）、背中全体の施術から開始する。図８−１に示されるように、肩あたりに手を密着して、まっすぐ仙骨８２に向かって腰まで行き、手を両サイドにスライドさせ脇まであがり、腕内側を包み込むようにし、肘下まで行ったらＵターンしながらスタートの位置に戻る。途中肘のあたりはレベルを弱める。次に天柱８１のツボから脊柱に沿って真っ直ぐ進み仙骨８２でｄ)の手技を行い、その後またゆっくりと天柱８１まで戻る。天柱８１のツボは首のコリと目の疲れに効果のあるツボで、パソコンやスマートフォンでの疲労解消に効果のあるツボである。また、胞育８３は奥までゆっくりエネルギーを入れて少し押してあげると良いポイントで美尻のツボともいわれ、ヒップラインがキュっと引き締まる。
【００２２】
次に、脊柱起立筋８４をトリートメントする。僧帽筋８５に手を置き、右側の肩甲骨の際と脊柱起立筋８４をゆっくり通り腸骨にあたったところでｄ)の手技を行う。それから手の平をつけて元の位置まで戻るこの流れを２回行い、さらに左側も同様に２回施術後、右肩の僧帽筋８５から肩甲骨の際を通って腋窩リンパ節８８でｄ)の手技を行い、再度手を密着させ元の位置まで戻る。次に僧帽筋８５から脊柱起立筋８４を通って肋骨の一番下辺りにある内腹斜筋８６に向かってｄ)の手技を行い、手を密着させて元の位置へ戻り、右肩から脊柱起立筋８４を通ってウエスト辺りにｄ)の手技をいれ、手を密着させ再度元の位置へ戻る。さらに右肩から脊柱起立筋８４を通ってお尻のくぼむあたりの環跳８７でｄ)の手技を行う。この脊柱起立筋８４のトリートメントを左側も同様に行う。最後に天柱８１から仙骨８２に向かってｂ)の手技で進み、手を密着して天柱８１へ戻りゆっくり手を離す。
【００２３】
環跳８７はお尻のくぼむあたりにあり、股関節の痛みやひざの痛みに効果的なツボである。老化や運動不足による筋肉の衰えなどが原因で股関節・ひざを痛めてしまった場合に効果的で、ヒップアップの効果も期待できる。また、「背中を丸める動きが硬い」、「腰というより背中が常に重くてだるい感じがする」、「どんな姿勢も落ち着かない気がする」、という場合は脊柱起立筋８４の疲れが原因で起こる腰痛や疲れの可能性が高く、猫背の場合はこの筋肉が伸びきった状態なので疲れが溜まっているため、腰だけでなく、縦長の筋肉全体を刺激することがポイントである。仙骨８２は骨盤の中央にあり、腹大動脈から枝分かれした多数の血管がそばを通り、最も長く太い神経である坐骨神経が走っている。加えて８つの重要なツボがあり、ここにトラブルが生じると様々な病気につながり、逆に癒すと症状が改善される。仙骨８２を温め、ツボを刺激することにより、血液・ホルモンの流れが良くなり、神経の働きが整えられ身体の調子が整う。
【００２４】
続けて背中全体を施術する。セラピスト３２は、本人より見てクライアント３３の右側に立ち（ロ）、施術を開始する。クリームを塗布し背中全体を繰り返し大きくエフルラージュ（（ａ）の手技）する。腰辺りから脊柱起立筋８４を通り肩でｄ)の手技を入れ、手を密着させて元の位置へ戻る。仙骨８２から天柱８１に向かって流すように繰り返し行う。次にウエストにｂ)の手技を入れ、外腹斜筋の収縮するポイントに向かいｄ)の手技を入れる。僧帽筋８５に沿うようにｂ)の手技で流したあと上腕三頭筋の上部ポイントから肩まで流す。
【００２５】
ここでクライアント３３に腕を上げてもらう。セラピスト３２は腰あたりに手を置いてから脇腹を通って腋窩リンパ節８８に向かってリンパを流す。脇の下には、老廃物を流したり、ウイルスに対する抗生物質を生成排出したりする腋窩リンパ節８８があり、リンパの流れや免疫機能に重要な役割を担っている。この腋窩リンパ節８８の滞りは肩こりや四十肩・五十肩のトラブルの原因になる。さらに脇の下の筋肉である大胸筋は、肩こりが起きる筋肉の裏側にあたるため、脇の下の筋肉が固まっていると肩こりは治らない。
【００２６】
続いてセラピスト３２はクライアント３３の頭側に移動し（ハ）、腕、お尻のトリートメントを行う。肩甲骨の真ん中あたりにある天宗８９のツボにｄ)の手技を入れる。この天宗８９は肩甲骨の真ん中あたりにあるツボで、押すと少し痛く、エネルギーを入れるとさらに痛いので強さ加減に注意する。次に上腕三頭筋の真ん中あたりにｄ)の手技を行う。続いてお尻では、手で圧を加えながら挟みスッと指先まで抜いていく。指先にはエネルギーはいれない。そして小殿筋、中殿筋の起始に向かってｄ)の手技を入れる。その後、大殿筋の起始に向かってｄ)の手技で入れたら全体に大きくａ）の手技を行い、仙骨８２でゆっくり手を離す。お尻の筋肉（大殿筋・中殿筋・小殿筋）を鍛えてほぐすことにより、腰痛に効果的でありウエストが引き締まる効果がある。
【００２７】
セラピスト３２は、本人より見てクライアント３３の右側に移動し（ニ）、足のトリートメントを行う。太もも外側を通り環跳８７のツボをプッシュする。その後、太もも全体に２回ａ）の手技を行ってから、太ももからふくらはぎにかけて、太ももとふくらはぎの強さを調整しながら足全体にａ）の手技を施す。クライアント３３の足の浮腫みや疲れに合わせてこの足全体の工程は何度繰り返しても良い。最後に足の裏にａ)の手技でエネルギーを入れて指先に向かって抜いていく。この際に強いと攣るので注意する。
【００２８】
環跳８７のツボを押すと股関節周りの血行が促進されることにより老廃物が流れ、筋肉の緊張がほぐれるため、ヒップアップ効果が期待でき、血行不良によるひざの痛みや股関節痛にも有効である。
【００２９】
セラピスト３２は、本人より見てクライアント３３の左側に移動（ホ）し、前記足全体の施術を左側から再度行う。続いて、前述の腕とお尻にかけての施術を左側から再度行う。
【００３０】
セラピスト３２はクライアント３３の頭側に移動（ヘ）し、前述の背中全体の施術を再度行う。
【００３１】
クライアント３３に仰向けになってもらい、セラピスト３２はクライアント３３の頭側に立ち（ト）、デコルテ、胸の施術を開始する。鎖骨下から鎖骨上リンパに向かってｂ)からｄ)の手技で左右に流す流れを２回行う。バストのはりをアップさせ、リンパを流すことにより顔がスッキリする効果がある。次に、鎖骨上リンパから脇に向かってｂ)の手技で流した後、鎖骨下から胸の内側を通って胸下周りをｂ)の手技で流し、腋窩リンパ節８８でｄ)の手技を入れる。手で三角を作り、胸全体を包むようにして、ゆっくり手を離す。反対側の胸も前記デコルテ、胸の施術を同様に２回行う。
【００３２】
セラピスト３２はクライアント３３の右側に立ち（チ）、図８−２に示した腹部の施術を開始する。お腹全体を「の」の字を書くように２回、ａ）の手技をした後、へそから鼠径部に向かって左右２回ずつ流す。次に、中かん９０のツボに向かって、へそから６方向９１に流し、中かん９０で２、３秒カウントする。中かん９０とは胃の調子を整えるのに効果的なツボである。続いてウエストに向かって横３方向９２に流し、ウエストが収縮する部分で２、３秒カウントする。最後に腹直筋を意識しながらへそ周辺４カ所に２、３秒入れてからお腹全体にａ）の手技を施し、そのまま円を小さくしていき、へそで８秒カウントしゆっくりと手を離す。
【００３３】
続いて腕の施術を行う。三角筋と上腕二頭筋の起始から停止までｂ)の手技で流す。この三角筋を肩に向かってほぐすことにより、四十肩や五十肩の緩和に繋がる。ここが固まると肩こりの原因になるのでしっかり流す。
【００３４】
セラピスト３２は、本人より見てクライアント３３の左側に移動し（リ）、続けて腕の施術を行う。図８−３に示されるように、手三里９３のツボにｄ)の手技でエネルギーを入れ、手三里９３辺りの筋肉を緩めるように流し、外関９４のツボにｄ)の手技で手首を指先へ引っ張るように握る。握った手首を片手で絞るように握って指先へスッと引き抜く。この時、指先では力を弱める。
【００３５】
クライアント３３の手の甲が上になるように手首を反す。水かきの位置を親指と人差し指でつまみエネルギーを入れたらクライアント３３の各指を握って圧をかけてスッと抜く。指は電気が通りやすく痛いので、エネルギーは入れないようにする。
【００３６】
セラピスト３２は、本人より見てクライアント３３の足元に移動し（ヌ）、図８−４に示されるように、足全体の施術を行う。足全体にａ)の手技をする。次に足首を両手でつまみ２、３秒カウントする。足首から脛骨の内側をｂ)の手技で通り、膝の内側のくぼみにある内膝眼９５にｂ)の手技を２、３回繰り返し行い、陽陵泉９６のツボにｄ)の手技を２、３回行う。陽陵泉９６は膝関節痛、下肢の麻痺、腰痛、坐骨神経痛、肩の痛みに効果的なツボである。その後、両手でヒザの皿をつかむような気持ちで２、３秒カウントする。次に、再び太もも全体にａ）の手技をし、太ももの真ん中を通って鼠径リンパへ流す。膝上内側を通って鼠径リンパへ流す。さらに太ももの外側から腰回りを通って鼠径部へ流す。その後足全体に繰り返しａ）の手技を行った後に、足を手で挟み指先に向かってエネルギーを抜く。この際、足の裏全体に手の平で圧を加えると気持ちが良い。また、指先はエネルギーを感じやすいので、指先に向かう時はエネルギーを抜いて行う。
【００３７】
鼠径部には大きなリンパ節があるのでここへ流していく。鼠径部は特に座った姿勢が長いとリンパの流れが悪くなり、脚が浮腫み、つま先が冷えるといった状態になる。鼠径部をほぐして柔らかくなると、血液循環にプラスしてリンパの流れがよくなるので、不要な水分や老廃物が流れやすくなり、深層部の筋肉が働き正しい姿勢になり、さらに筋肉を効率的に使えることにより、基礎代謝がアップし、痩せやすい体質となる。ただし、エネルギーが強すぎると痛みを感じる場合もあるので、クライアント３３の反応を見ながら行う。
【００３８】
セラピスト３２は、本人より見てクライアント３３の下半身左側に移動し（ル）、前記足全体、前記お腹、前記腕の施術を、左側から同様に行う。
【００３９】
続いてクライアント３３に首を横にしてもらい、首の施術を行う。首筋を顎下リンパ節に向かって上下に流し、耳の前と後ろを挟むようにして上下に流す。次に鎖骨下に少し圧を加えながら鎖骨下リンパに向かって流す。その後、鎖骨で流したものを腋窩リンパ節８８に流す。首筋から肩に向かって流し、肩あたりで２、３秒プッシュする。次に背中を肩甲骨まで脊柱を天柱８１のツボまで少し圧を加えながら流し、８秒カウントしゆっくり手を離す流れを２、３回行う。最後に逆の首筋、デコルテにも同様に首の施術を行う。その後ゆっくりとクライアント３３に声がけをして終了する。以上がリンパトリートメントの施術方法の一例である。
【００４０】
全身のリンパが最終的に流れ込むのが、鎖骨の上あたりにある静脈角というところで、ここを流すことにより、顔の浮腫みが取れて顔がスッキリし、肩こりや首の凝りにも有効である。
【００４１】
次に図９に示されるように、本発明のフェイシャルトリートメントの実施手順の一例を説明する。
【００４２】
クライアント３３に仰向けになってもらい、セラピスト３２はクライアント３３の頭側に立ち（ヲ）、施術を開始する。
【００４３】
顎下から耳介前リンパ、頬から耳介前リンパ、口周りから耳介前リンパ、頬から耳介体前リンパの順で顔全体を引き上げる。前記の順で５回繰り返す。続いて、顎の２点、口角の両端、小鼻周辺両端の順でそれぞれに中指でエネルギーを入れる。小鼻の周りが凝ると、ほうれい線の原因になるので、ここはよくほぐすことがポイントとなる。続いて、頬骨をつかみ上げるようにしてエネルギーを入れる。この際、歯の周りはアルミを噛んだような、または歯が浮くような感覚を感じる場合もあるので、クライアント３３に強さを確認しながらエネルギーを入れるようにする。次に、強いと痛いため力加減に気を付けながら、眉下にある清明９７にエネルギーを入れた後に目の周りを手の平全体で覆い隠すようにしてエネルギーを入れ、神庭９８のツボを中心に前頭筋と側頭筋に手の平を密着させエネルギーを入れる。最後に耳の施術を行う。耳たぶをつまみ２、３秒カウントする。その後、耳の穴に親指を入れ、耳たぶを畳み音が聞こえないような状態で２、３秒カウントする。最後に耳全体を優しく揉みこみ、ゆっくり手を離し、クライアント３３にゆっくり終了の声がけをする。
【００４４】
清明９７というツボは眼精疲労、ドライアイの解消、頭痛などを和らげる効果がある。耳のもみほぐしをすると頭部全体の血流がよくなり、耳まわりの凝っている筋肉がゆるむので頭痛、首のコリ、目の疲れの緩和に効果的である。耳近くのリンパ節の流れもよくなるので、顔の浮腫み改善にも繋がる。
【００４５】
次に乳房ケアの実施手順の一例を説明する。セラピスト３２は右手の手の平と指で、バスケットボールをつかむように指を広げてクライアント３３の乳房を持ち、左手の母指球を乳房の上部にあて、右側に向かって横に押す。次に右手の位置を少しずらし、小指側を乳房の外側斜め下にあてる。右手は左手の上にあて、力を入れる点に注意しながら右の肩に向かって押す。この動作を繰り返す。ここでは右の手の平で乳房を潰さないように注意する。続いて、前から手の平が見えるくらいの位置で、右手の手の平の小指側を乳房の下にあて、左手はその下に添えるように置いて乳房をすくい上げるようにする。この動作を繰り返し行う。乳房ケアでは電流の流れで痛みを感じるため、乳頭には触れないよう注意する。
【００４６】
本発明を使用すれば、クライアント３３が自ら持つ体内電流をセラピスト３２の素手から直接伝わる微弱電流により補い、さらには流れを良く保つことが可能となるため、クライアント３３は滞った血流が良くなる。さらに、セラピスト３２自身も施術中に微弱電流が流れていることで体内電流が整い、クライアント３３だけでなくセラピスト３２にも多くに効果を得ることができるという特徴がある。
【００４７】
前述した各実施例等は、本発明の好ましい一例の説明である。各実施例とか図面に限定されない。従って、発明の趣旨の範囲において構成の一部を変更する構造とか、同じ特徴と効果を達成できる構造、等は、本発明の範疇である。
【符号の説明】
【００４８】
１  装置本体
２  ＡＣケーブル
３  通電マット用ケーブル
４  濡れタオル
５  通電マット
６  プレート用ケーブル
７ａ  平坦プレート
７ｂ  凹凸プレート
７ｃ  出張用プレート
８  モニター装置
９  本体スイッチ
１０  ＵＳＢケーブル
１１  ケーブル差込口
１２  ＵＳＢポート
１３  警報器
１４  充電／電力供給回路
１５  発電回路
１７  スマートデバイス
１８  施術箇所・回数
２１  電圧調節ダイヤル
２２  電気信号変更ダイヤル
３１  ベッド
３２  セラピスト
３３  クライアント
８１  天柱
８２  仙骨
８３  胞育
８４  脊柱起立筋
８５  僧帽筋
８６  内腹斜筋
８７  環跳
８８  腋窩リンパ節
８９  天宗
９０  中かん
９１  へそから６方向
９２  横３方向
９３  手三里
９４  外関
９５  内膝眼
９６  陽陵泉
９７  清明
９８  神庭
１０１  ＣＰＵ
１０２  電気信号発生器
１０３  波形出力制御部
１０５  出力制御回路
１０６  電源回路
Ａ  ＥＭＳ装置
Ｂ  スマートデバイス連携システム
【図１】
2020127604.tif 000003
【図２】
2020127604.tif 000004
【図３】
2020127604.tif 000005
【図４】
2020127604.tif 000006
【図５】
2020127604.tif 000007
【図６】
2020127604.tif 000008
【図７−１】
2020127604.tif 000009
【図７−２】
2020127604.tif 000010
【図８−１】
2020127604.tif 000011
【図８−２】
2020127604.tif 000012
【図８−３】
2020127604.tif 000013
【図８−４】
2020127604.tif 000014
【図９】
2020127604.tif 000015
【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
装置本体（１）と
前記装置本体（１）に差込口（１１）を介して接続され、ベッド（３１）の上に、水で濡らしたタオル（４）を介してクライアント（３３）の肌に触れるように設置される、通電マット（５）と、
前記装置本体（１）に前記差込口（１１）を介して接続され、前記ベッド（３１）の下の床に１枚又は複数枚設置される、セラピスト（３２）が踏むことのできるプレート（７ａ）及び／又は（７ｂ）及び／又は（７ｃ）であって、前記セラピスト（３２）が前記クライアント（３３）及び／又は前記プレートに触れる面積で電流の大きさが調整される、プレート（７ａ）及び／又は（７ｂ）及び／又は（７ｃ）と、
前記装置本体（１）にＵＳＢポート（１２）を介して接続されるモニター装置（８）と、を備え、
前記装置本体（１）は、施術動作（施術箇所・回数（１８））に応じて、前記通電マット（５）及び前記プレート（７ａ）及び／又は（７ｂ）及び／又は（７ｃ）に通電した電流量を調節し、かつ前記モニター装置（８）の充電用電気を制御する、発電回路（１５）、並びに、この発電回路（１５）からの電気を前記ＵＳＢポート（１２）を介して前記モニター装置（８）に送る、充電／電力供給回路（１４）を備える、
ＥＭＳ装置（Ａ）であって、
前記モニター装置（８）は、前記ＵＳＢポート（１２）にＵＳＢケーブル（１０）を差し込んだ状態で充電しながら使用すること、及び／又は、前記ＵＳＢポート（１２）から取り外して無線接続を行って使用することが可能な、スマートデバイス（１７）であり、
前記装置本体（１）と前記モニター装置（８）はスマートデバイス連携システム（Ｂ）を構成し、このスマートデバイス連携システム（Ｂ）は、
（Ａ）施術時間のタイマー設定
（Ｂ）施術中の電圧レベルの表示
（Ｃ）施術中の電気信号波形の表示
（Ｄ）前記プレート（７ａ）及び／又は（７ｂ）及び／又は（７ｃ）の選択
（Ｅ）前記プレートからの前記セラピスト（３２）の立位置のずれの通知
（Ｆ）前記タオル（４）の乾燥の検知及び通知
（Ｇ）前記クライアント（３３）の顧客及び施術データの管理及び表示
（Ｈ）前記施術動作の記録及び表示
を実行可能な、ＥＭＳ装置（Ａ）。
【請求項２】
前記プレート（７ａ）は平坦なプレートであり、前記プレート（７ｂ）は表面に凹凸又はスリットが形成されたプレートであり、前記プレート（７ｃ）は出張用のプレートであり、前記プレート（７ｃ）が選択される場合、所望の場所に移動及び設置可能となる、請求項１に記載のＥＭＳ装置（Ａ）。
【請求項３】
前記スマートデバイス連携システム（Ｂ）は更に、
（Ｉ）施術の流れと、施術箇所に応じた前記セラピスト（３２）の立位置と、前記セラピスト（３２）が前記クライアント（３３）に力を加える様式の違いによって分類された、複数の手技と、を記憶し、これらの適切な組み合わせを表示すること
を実行可能である、請求項１または２のいずれか一項に記載のＥＭＳ装置（Ａ）。
【請求項４】
前記複数の手技は、ａ）軽擦法（全体に覆うように包む手技）、ｂ）振動法（まっすぐ進む手技）、ｃ）揉撚法（クルクル回す手技）、ｄ）圧迫法（一点を集中して押さえている手技）、ｅ）引上げ法（彫刻をイメージし３Ｄボディ（メリハリがあり凹凸のある体）を創り上げる手技）の５つの手技から成る、請求項３に記載のＥＭＳ装置（Ａ）。
【手続補正３】
【補正対象書類名】明細書
【補正対象項目名】０００９
【補正方法】変更
【補正の内容】
【０００９】
前述の特徴や効果を発揮し、クライアントに対し、効果的な体力造りや、美容効果等を達成するために、請求項１−請求項４を提案する。